(57)【要約】【課題】画像の一部を非表示にする際の利便性を向上させる情報処理装置、画像表示方法、及びプログラムを提供する。【解決手段】ＣＰＵ１１は、マスク情報（領域情報、形状情報、色情報）に基づいてビデオコントローラ１５に指示をして、画像表示装置２の画面上でマスク領域内の内容を非表示にするためのマスク処理を施させる。ビデオコントローラ１５は、この指示を受けると、液晶ディスプレイ１６に表示すべき画像に対して、領域情報に基づく領域内に形状情報に基づく形状のマスク領域を設定するとともにこのマスク領域内を色情報に基づく色で塗り潰す処理を施し、処理後の画像を画像表示装置２に表示させる。一方、液晶ディスプレイ１６には、マスク処理を施す前の画像を継続して表示させる。この結果、画像表示装置２には、液晶ディスプレイ１６と同一の画像が、マスク領域がマスクされた状態で表示される。【選択図】図２
2009175396.tif 000002
【特許請求の範囲】
【請求項１】
第１の画像表示装置、及び外部に備わる第２の画像表示装置に画像情報を出力して画像を表示させる画像情報出力部と、
前記第１の画像表示装置に表示される前記画像の中から一部の領域を設定させる領域設定部と、
前記第１の画像表示装置に表示される前記画像と略同一の画像を表す画像情報に対して、前記領域設定部で設定された前記一部の領域をマスクするためのマスク処理を施すマスク処理部と、
を備え、
前記画像情報出力部は、前記マスク処理が施された画像情報を前記第２の画像表示装置に出力して、前記一部の領域がマスクされた画像を前記第２の画像表示装置に表示させることを特徴とする情報処理装置。
【請求項２】
請求項１に記載の情報処理装置であって、
前記第２の画像表示装置による前記画像の表示を停止させる表示停止部をさらに備えたことを特徴とする情報処理装置。
【請求項３】
請求項２に記載の情報処理装置であって、
前記領域設定部は、前記表示停止部が前記第２の画像表示装置による前記画像の表示を停止させているときにのみ、前記一部の領域を設定させることを特徴とする情報処理装置。
【請求項４】
請求項１〜３のいずれか１項に記載の情報処理装置であって、
前記一部の領域の形状を指定させるマスク形状指定部をさらに備え、
前記マスク処理部は、前記マスク形状指定部で指定された形状の領域をマスクすることを特徴とする情報処理装置。
【請求項５】
請求項１〜４のいずれか１項に記載の情報処理装置であって、
マスク色を指定させるマスク色指定部をさらに備え、
前記マスク処理部は、前記マスク色指定部で指定されたマスク色で前記一部の領域をマスクすることを特徴とする情報処理装置。
【請求項６】
請求項１〜５のいずれか１項に記載の情報処理装置であって、
前記画像情報出力部は、前記第２の画像表示装置にネットワークを介して前記画像情報を出力することを特徴とする情報処理装置。
【請求項７】
請求項６に記載の情報処理装置であって、
前記ネットワークは無線ネットワークであることを特徴とする情報処理装置。
【請求項８】
第１の画像表示装置、及び外部に備わる第２の画像表示装置に画像情報を出力して画像を表示させる情報処理装置の画像表示方法であって、
前記第１の画像表示装置に表示される前記画像の中から一部の領域を設定させる領域設定ステップと、
前記第１の画像表示装置に表示される前記画像と略同一の画像を表す画像情報に対して、前記領域設定ステップで設定された前記一部の領域をマスクするためのマスク処理を施すマスク処理ステップと、
前記マスク処理が施された画像情報を前記第２の画像表示装置に出力して、前記一部の領域がマスクされた画像を前記第２の画像表示装置に表示させるマスク画像表示ステップと、
を備えたことを特徴とする画像表示方法。
【請求項９】
第１の画像表示装置、及び外部に備わる第２の画像表示装置に画像情報を出力して画像を表示させるコンピュータに、
前記第１の画像表示装置に表示される前記画像の中から一部の領域を設定させる領域設定ステップと、
前記第１の画像表示装置に表示される前記画像と略同一の画像を表す画像情報に対して、前記領域設定ステップで設定された前記一部の領域をマスクするためのマスク処理を施すマスク処理ステップと、
前記マスク処理が施された画像情報を前記第２の画像表示装置に出力して、前記一部の領域がマスクされた画像を前記第２の画像表示装置に表示させるマスク画像表示ステップと、
を実行させるためのプログラム。
【発明の詳細な説明】
【技術分野】
【０００１】
本発明は、画像表示装置に画像を表示させる情報処理装置、画像表示方法、及びプログラムに関する。
【背景技術】
【０００２】
画像表示装置（第１の画像表示装置）が接続された（或いは、これを一体的に備えた）情報処理装置に、プロジェクタのように大画面表示が可能な外部の画像表示装置（第２の画像表示装置）をさらに接続し、情報処理装置が出力する画像を多くの聴衆に示す際に、第２の画像表示装置についてのみ画像の一部を非表示にしたい場合がある。例えば、問題文とその回答とを含んだ原稿を表示する際に、第２の画像表示装置でのみ回答を非表示にできれば、第２の画像表示装置を見ている聴衆には問題文のみが提示され、説明者のみが第１の画像表示装置によって回答を参照することが可能となる。また、プレゼンテーション等を行う際に、説明者のみが参照できるメモを説明資料中に含ませておくことも可能となる。
【０００３】
特許文献１には、表示する画像の一部に装飾効果画像を重畳することが可能な投写型表示装置（プロジェクタ）が提案されている。この投写型表示装置を第２の画像表示装置として情報処理装置に接続すれば、投写型表示装置から投写される画像の一部を装飾効果画像によって非表示にすることが可能となる。
【０００４】
【特許文献１】国際公開第９９／４０５６３号パンフレット
【発明の開示】
【発明が解決しようとする課題】
【０００５】
しかしながら、特許文献１に記載の投写型表示装置では、装飾効果画像を重畳すべき位置を、投写型表示装置によって表示される画像を見ながら設定する必要があるため、その操作（重畳位置の設定）を行っているときに、非表示にすべき部位を聴衆に見られてしまうという問題を有している。また、投写型表示装置を遠隔操作するためのリモコンに搭載されたポインティングデバイスによって重畳位置を設定する構成であるため、マウス等のように普段使い慣れたポインティングデバイスを用いる場合に比べて操作性が悪く、素早い操作が困難であるという問題も有している。
【課題を解決するための手段】
【０００６】
本発明は、上述の課題の少なくとも一部を解決するためになされたものであり、以下の形態又は適用例として実現することが可能である。
【０００７】
［適用例１］本適用例に係る情報処理装置は、第１の画像表示装置、及び外部に備わる第２の画像表示装置に画像情報を出力して画像を表示させる画像情報出力部と、前記第１の画像表示装置に表示される前記画像の中から一部の領域を設定させる領域設定部と、前記第１の画像表示装置に表示される前記画像と略同一の画像を表す画像情報に対して、前記領域設定部で設定された前記一部の領域をマスクするためのマスク処理を施すマスク処理部と、を備え、前記画像情報出力部は、前記マスク処理が施された画像情報を前記第２の画像表示装置に出力して、前記一部の領域がマスクされた画像を前記第２の画像表示装置に表示させることを特徴とする。
【０００８】
この情報処理装置によれば、マスク処理を施した画像情報を第２の画像表示装置に対してのみ出力するため、第２の画像表示装置でマスクされている領域を第１の画像表示装置によって参照することが可能となる。また、マスクすべき領域を設定させる領域設定部が情報処理装置に備わっているため、第２の画像表示装置の画像の表示を停止させること等により、第１の画像表示装置にのみ画像を表示させて領域を設定することも可能となる。このため、第２の画像表示装置を見ている者に、マスクすべき領域を見られてしまう事態を抑制することが可能となり、利便性が向上する。なお、第１の画像表示装置は、情報処理装置に一体的に備わっている構成であってもよいし、外部に備わる構成であってもよい。
【０００９】
［適用例２］上記適用例に係る情報処理装置において、前記第２の画像表示装置による前記画像の表示を停止させる表示停止部をさらに備えることが望ましい。
【００１０】
この情報処理装置によれば、第２の画像表示装置による画像の表示を停止させる表示停止部を備えているため、表示停止部によって第２の画像表示装置の表示を事前に停止させてからマスクすべき領域を設定することにより、マスクすべき領域が第２の画像表示装置で表示されてしまうことを防ぐことができる。また、領域を設定するための操作、及び第２の画像表示装置の表示を停止させるための操作を情報処理装置のみで行うことが可能となるため、操作が容易になる。
【００１１】
［適用例３］上記適用例に係る情報処理装置において、前記領域設定部は、前記表示停止部が前記第２の画像表示装置による前記画像の表示を停止させているときにのみ、前記一部の領域を設定させることが望ましい。
【００１２】
この情報処理装置によれば、表示停止部が第２の画像表示装置による画像の表示を停止させているときにのみ、領域設定部が一部の領域を設定させるため、マスクすべき領域を設定する際に、マスクすべき領域を見られてしまう事態をさらに抑制することが可能となる。
【００１３】
［適用例４］上記適用例に係る情報処理装置において、前記一部の領域の形状を指定させるマスク形状指定部をさらに備え、前記マスク処理部は、前記マスク形状指定部で指定された形状の領域をマスクすることが望ましい。
【００１４】
この情報処理装置によれば、マスクすべき領域の形状を指定できるため、画像内におけるマスクの対象（マスクすべき文字や図形等）のレイアウトに応じたマスクが可能となる。このため、例えば、文字や図形が密に配置されている画像であっても、不要な部位までマスクしてしまうことを抑制することが可能となる。
【００１５】
［適用例５］上記適用例に係る情報処理装置において、マスク色を指定させるマスク色指定部をさらに備え、前記マスク処理部は、前記マスク色指定部で指定されたマスク色で前記一部の領域をマスクすることが望ましい。
【００１６】
この情報処理装置によれば、マスク色を指定できるため、画像の配色（背景色等）に応じたマスクが可能となる。このため、例えば、マスク色を画像の背景色に一致させれば、マスクした状態か否かをユーザに意識させずに済む。
【００１７】
［適用例６］上記適用例に係る情報処理装置において、前記画像情報出力部は、前記第２の画像表示装置にネットワークを介して前記画像情報を出力することが望ましい。
【００１８】
この情報処理装置によれば、画像情報出力部が第２の画像表示装置にネットワークを介して画像情報を出力する構成であるため、映像ケーブルを介して出力する構成に比べ、情報処理装置及び第２の画像表示装置の配置が映像ケーブルの長さによって制限されることがなくなり、各装置のレイアウトの自由度が高まる。
【００１９】
［適用例７］上記適用例に係る情報処理装置において、前記ネットワークは無線ネットワークであることが望ましい。
【００２０】
この情報処理装置によれば、画像情報出力部が第２の画像表示装置に無線ネットワークを介して画像情報を出力する構成であるため、情報処理装置と第２の画像表示装置とのケーブル接続が不要となり、各装置のレイアウトの自由度がさらに高まる。
【００２１】
［適用例８］本適用例に係る画像表示方法は、第１の画像表示装置、及び外部に備わる第２の画像表示装置に画像情報を出力して画像を表示させる情報処理装置の画像表示方法であって、前記第１の画像表示装置に表示される前記画像の中から一部の領域を設定させる領域設定ステップと、前記第１の画像表示装置に表示される前記画像と略同一の画像を表す画像情報に対して、前記領域設定ステップで設定された前記一部の領域をマスクするためのマスク処理を施すマスク処理ステップと、前記マスク処理が施された画像情報を前記第２の画像表示装置に出力して、前記一部の領域がマスクされた画像を前記第２の画像表示装置に表示させるマスク画像表示ステップと、を備えたことを特徴とする。
【００２２】
この画像表示方法によれば、マスク処理を施した画像情報を第２の画像表示装置に対してのみ出力するため、第２の画像表示装置でマスクされている領域を第１の画像表示装置によって参照することが可能となる。また、マスクすべき領域の設定を情報処理装置によって行わせるため、第２の画像表示装置の画像の表示を停止させること等により、第１の画像表示装置にのみ画像を表示させて領域を設定することも可能となる。このため、第２の画像表示装置を見ている者に、マスクすべき領域を見られてしまう事態を抑制することが可能となり、利便性が向上する。
【００２３】
［適用例９］本適用例に係るプログラムは、第１の画像表示装置、及び外部に備わる第２の画像表示装置に画像情報を出力して画像を表示させるコンピュータに、前記第１の画像表示装置に表示される前記画像の中から一部の領域を設定させる領域設定ステップと、前記第１の画像表示装置に表示される前記画像と略同一の画像を表す画像情報に対して、前記領域設定ステップで設定された前記一部の領域をマスクするためのマスク処理を施すマスク処理ステップと、前記マスク処理が施された画像情報を前記第２の画像表示装置に出力して、前記一部の領域がマスクされた画像を前記第２の画像表示装置に表示させるマスク画像表示ステップと、を実行させる。
【００２４】
このプログラムによれば、マスク処理を施した画像情報を第２の画像表示装置に対してのみ出力するため、第２の画像表示装置でマスクされている領域を第１の画像表示装置によって参照することが可能となる。また、マスクすべき領域の設定をコンピュータによって行わせるため、第２の画像表示装置の画像の表示を停止させること等により、第１の画像表示装置にのみ画像を表示させて領域を設定することも可能となる。このため、第２の画像表示装置を見ている者に、マスクすべき領域を見られてしまう事態を抑制することが可能となり、利便性が向上する。
【００２５】
また、上記形態及び上記適用例は、前記プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、前記コンピュータの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２６】
（第１実施形態）
以下、第１実施形態の情報処理装置であるパーソナルコンピュータ（以降、単に「コンピュータ」ともいう。）について説明する。
図１は、本実施形態のコンピュータを示す斜視図である。
図１に示すように、コンピュータ１は、ノート型のパーソナルコンピュータであり、画像表示装置である液晶ディスプレイ１６、入力装置であるキーボード２０、及びポインティングデバイスであるタッチパッド２１を一体的に備えて構成されている。また、コンピュータ１には、各種インターフェイスが備えられており、外付け（外部）の画像表示装置２や外付けのマウス３０を接続可能になっている。なお、プレゼンテーションを行う場合のように、表示する画像を多くの聴衆に示す場合には、大画面での画像表示が可能な画像表示装置２（例えば、プロジェクタ）が映像ケーブル３を介して接続される。
【００２７】
図２は、コンピュータ１の回路構成を示すブロック図である。
図２に示すように、コンピュータ１は、ＣＰＵ（Central Processing Unit）１１、２つのブリッジ回路（ノースブリッジ１２、及びサウスブリッジ１３）、ＲＡＭ（Random Access Memory）１４、ビデオコントローラ１５、液晶ディスプレイ１６、ハードディスクドライブ１７、光ディスクドライブ１８、ＢＩＯＳ（Basic Input/Output System）が書き込まれたＢＩＯＳ−ＲＯＭ（Read Only Memory）１９、キーボード２０、タッチパッド２１等を備えている。
【００２８】
ＣＰＵ１１は、ＢＩＯＳ−ＲＯＭ１９に書き込まれたＢＩＯＳ、或いはＲＡＭ１４に読み出された各種プログラムに従って動作することにより、コンピュータ１の動作を統括制御する。
【００２９】
ノースブリッジ１２は、ＣＰＵ１１とサウスブリッジ１３との間のブリッジ処理、ＲＡＭ１４の制御、及びビデオコントローラ１５の制御等を行う。ＲＡＭ１４は、ＤＲＡＭ（Dynamic RAM）で構成され、ハードディスクドライブ１７から読み出されたＯＳ（Operating System）やアプリケーションプログラム等を記憶する。また、ＲＡＭ１４は、プログラム実行中における各種データの一時記憶等に用いられる。
【００３０】
ビデオコントローラ１５は、液晶ディスプレイ１６に対する画像表示を制御する。ビデオコントローラ１５は、ＶＲＡＭ（Video RAM）５０を備えており、ＯＳやアプリケーションプログラムを実行するＣＰＵ１１の指示に基づいて、ＶＲＡＭ５０上にフレーム（画面）単位で順次画像情報を生成し、生成した画像情報を液晶ディスプレイ１６に出力して、液晶ディスプレイ１６の画面１６ａ（図１参照）上に画像情報に基づく画像を表示させる。なお、本明細書では、画像を表示させるべくＶＲＡＭ５０上に画像情報を生成することを、「画像を描画する」とも表現する。
【００３１】
また、ビデオコントローラ１５は、画像出力端子１５ａを介して外部の画像表示装置２にも画像情報を出力可能になっており、液晶ディスプレイ１６の画面１６ａ上に表示される画像を、画像表示装置２の画面（プロジェクタの場合には投写面）２ａ（図１参照）上にも表示させることができる。さらに、ビデオコントローラ１５は、液晶ディスプレイ１６と画像表示装置２とに異なる画像情報を出力することにより、それぞれに異なる画像を表示させることも可能になっている。このとき、ビデオコントローラ１５は、ＶＲＡＭ５０のメモリ空間を２つの領域（第１の画像領域５１及び第２の画像領域５２）に区分し、液晶ディスプレイ１６に出力すべき画像情報を第１の画像領域５１上に、画像表示装置２に出力すべき画像情報を第２の画像領域５２上に生成する。
【００３２】
サウスブリッジ１３には、各種インターフェイス回路が内蔵されており、ハードディスクドライブ１７、光ディスクドライブ１８、ＢＩＯＳ−ＲＯＭ１９、キーボード２０、タッチパッド２１等が接続されている。ハードディスクドライブ１７は、インストールされたＯＳやアプリケーションプログラム、各種データ等を記憶する。光ディスクドライブ１８は、ＣＤ（Compact Disc）やＤＶＤ（Digital Versatile Disc）等の光ディスクからのデータの読み出しや、光ディスクへのデータの書き込みを行う。
【００３３】
ＢＩＯＳ−ＲＯＭ１９には、ＢＩＯＳが格納されている。ＢＩＯＳは、コンピュータ１の起動時にＣＰＵ１１によって読み出されて各種初期化処理やＯＳの起動を行うプログラムとともに、ビデオコントローラ１５、ハードディスクドライブ１７、キーボード２０等の入出力デバイスを制御するプログラムを含んでおり、これら入出力デバイスに対する基本的な入出力制御をＯＳやアプリケーションプログラムに提供する。ＯＳやアプリケーションプログラムを実行するＣＰＵ１１は、直接、或いはＢＩＯＳを介してこれらの入出力デバイスとの入出力を行うことができる。
【００３４】
キーボード２０は、キー操作によって文字や制御コード等を入力するための入力装置であり、タッチパッド２１は、液晶ディスプレイ１６等に表示されるポインタＰ（図１参照）の移動操作やクリック操作等を行うためのポインティングデバイスである。キーボード２０及びタッチパッド２１は、ユーザによってなされた操作に基づく操作信号をサウスブリッジ１３に出力し、サウスブリッジ１３は、この操作信号をノースブリッジ１２を介してＣＰＵ１１に伝達する。
【００３５】
また、サウスブリッジ１３は、図示しないＵＳＢ（Universal Serial Bus）インターフェイスを備えており、ＵＳＢ端子１３ａを介して外部の入出力装置と接続可能になっている。このＵＳＢ端子１３ａに、外付けのポインティングデバイスであるマウス３０を接続すれば、ユーザは、内蔵するタッチパッド２１の代わりにマウス３０を用いて各種操作を行うことが可能となる。
【００３６】
次に、コンピュータ１の動作について説明する。
コンピュータ１に電源が投入されると、ＣＰＵ１１は、ＢＩＯＳ−ＲＯＭ１９に記憶されているＢＩＯＳに従ってブート処理を行い、ハードディスクドライブ１７に記憶されているＯＳを起動し（ＲＡＭ１４に読み込み）、ＯＳに従った動作を開始する。そしてＣＰＵ１１は、ビデオコントローラ１５に指示をして液晶ディスプレイ１６の画面１６ａに所定の画像（初期画面）を表示させる。
【００３７】
本実施形態のコンピュータ１に採用されているＯＳは、ＧＵＩ（Graphical User Interface）を備えたものであり、ユーザは、キーボード２０の他に、タッチパッド２１やマウス３０等のポインティングデバイスを操作することによってコンピュータ１に各種指示を与えることが可能になっている。
【００３８】
ＯＳが起動すると、ＣＰＵ１１は、ビデオコントローラ１５に指示をして、液晶ディスプレイ１６に表示されている画像上にポインタＰを重畳表示させる。ＯＳには、タッチパッド２１やマウス３０と通信を行うためのデバイスドライバが含まれており、ＣＰＵ１１は、このデバイスドライバによってタッチパッド２１やマウス３０になされた移動操作やクリック操作を検出することができる。そして、タッチパッド２１やマウス３０に対して移動操作がなされると、ＣＰＵ１１は、ポインタＰを重畳させる位置を、ユーザの移動操作に応じて変更させることにより、ポインタＰを移動させる。
【００３９】
ＯＳの起動が完了すると、コンピュータ１は、アプリケーションプログラムの起動が可能な状態となり、ユーザは、キーボード２０、タッチパッド２１、或いはマウス３０等を操作して所望のアプリケーションプログラムの起動を指示することができる。アプリケーションプログラムの起動が指示されると、ＣＰＵ１１は、指示されたアプリケーションプログラムをハードディスクドライブ１７からＲＡＭ１４に読み込んで、このアプリケーションプログラムに従った動作を開始する。本実施形態のハードディスクドライブ１７には、アプリケーションプログラムとして、文書を作成するためのワードプロセッサや、プレゼンテーション用のスライドの作成や表示を行うためのプレゼンテーションソフトウェアの他に、マスクユーティリティＭＵが記憶（インストール）されている。マスクユーティリティＭＵは、常駐型のアプリケーションプログラムであり、外部の画像表示装置２に表示させる画像の一部をマスクして非表示にする機能（マスク機能）を有している。
【００４０】
図３は、マスクユーティリティＭＵに基づくＣＰＵ１１の動作を説明するためのフローチャートであり、図４（ａ）、（ｂ）は、液晶ディスプレイ１６の画面１６ａ及び外部の画像表示装置２の画面２ａを示す説明図である。マスクユーティリティＭＵの起動が指示されると、ＣＰＵ１１は、ハードディスクドライブ１７からマスクユーティリティＭＵをＲＡＭ１４に読み出し、図３に示すフローに従って動作する。
【００４１】
図３に示すように、ステップＳ１０１では、ＣＰＵ１１は、ビデオコントローラ１５に指示をして、ＶＲＡＭ５０上の第２の画像領域５２に黒色の無地画像を描画させ、外部の画像表示装置２の画面２ａ全体に黒色の無地画像を表示させる（図４（ａ）参照）。なお、画面全体に黒色の無地画像が表示される状態を、本明細書では「画像ミュート状態」と呼ぶ。この画像ミュート状態は、マスク機能によってマスクすべき領域を設定する際に、その様子が画像表示装置２に表示されることを防ぐためのものであり、黒色の無地画像に限られず、他の色の無地画像であってもよいし、文字列やロゴ等を含んだ所定の画像を表示させるようにしてもよい。また、画像ミュート状態とする代わりに、画像出力端子１５ａからの画像情報の出力を停止させる態様にすることもできる。
【００４２】
続いて、ステップＳ１０２では、ＣＰＵ１１は、ビデオコントローラ１５に指示をして、マスク機能を利用するためのツールバーＷ１（図５参照）をＶＲＡＭ５０上の第１の画像領域５１に描画させて、液晶ディスプレイ１６の画面１６ａ内にこのツールバーＷ１を表示させる（図４（ａ）参照）。
【００４３】
その後、ユーザは、所望のアプリケーションプログラムを起動させてファイルを開く操作等を行うことにより、液晶ディスプレイ１６の画面１６ａ上に所望の画像Ｗ２を表示させることができる（図４（ｂ）参照）。なお、画像Ｗ２を表示させるための操作は、マスクユーティリティＭＵを起動する前に行うようにしてもよい。また、ツールバーＷ１は、常に最前面に表示される設定がなされており、ツールバーＷ１を表示させた後に画像Ｗ２を全画面で表示させた場合でも、ツールバーＷ１が画像Ｗ２に隠れることはない。
【００４４】
図５は、ツールバーＷ１の詳細を示す説明図である。
図５に示すように、ツールバーＷ１は、タイトル「マスクユーティリティ」が表記されたタイトルバーＴ１を有し、その下には複数のボタンが配列されている。ツールバーＷ１が備えるボタンには、画像表示装置２に対して画像ミュート状態とこれを解除した状態（以降、「画像ミュート解除状態」という。）とを切り替えるための表示ボタンＢ１、マスクすべき領域を設定するためのマスク領域設定ボタンＢ２、マスクを解除するためのマスク解除ボタンＢ３、マスクすべき領域の形状を指定するためのマスク形状指定ボタンＢ４、マスクの色（マスク色）を指定するためのマスク色指定ボタンＢ５がある。また、タイトルバーＴ１の右端には、マスクユーティリティＭＵを終了させるための終了ボタンＢ６が配置されている。ユーザは、ポインティングデバイス（タッチパッド２１又はマウス３０）によって所望のボタンをクリック操作すること、即ち所望のボタン上にポインタＰを位置させた後にクリック操作を行うことにより、各ボタンに割り当てられた動作をＣＰＵ１１に行わせることができる。
【００４５】
図３に戻って、ステップＳ１０３では、ＣＰＵ１１は、ツールバーＷ１に備わるボタンのいずれかがクリック操作されたか否かを判断する。そして、いずれかのボタンがクリック操作された場合にはステップＳ１０４に移行し、いずれのボタンもクリック操作されていない場合には、ステップＳ１０３を繰り返す。
【００４６】
いずれかのボタンがクリック操作されてステップＳ１０４に移行した場合には、ＣＰＵ１１は、クリック操作されたボタンが終了ボタンＢ６であるか否かを判断する。そして、終了ボタンＢ６がクリック操作された場合には、ＣＰＵ１１は、ＲＡＭ１４上から、マスクユーティリティＭＵで利用されていた領域を開放して、プログラム（マスクユーティリティＭＵ）を終了させる。一方、終了ボタンＢ６以外のボタンがクリック操作された場合には、ステップＳ１０５に移行する。
【００４７】
ステップＳ１０５に移行した場合には、ＣＰＵ１１は、クリック操作されたボタンに応じた各種処理（サブルーチン）を実行し、その後、当該フロー（メインルーチン）のステップＳ１０３に戻る。ここで、ユーザは、マスク領域設定ボタンＢ２をクリック操作して、その後でポインティングデバイスによってドラッグ操作を行うことにより、マスクすべき領域を設定することができる。
【００４８】
図６は、ツールバーＷ１に備わるマスク領域設定ボタンＢ２がクリック操作された場合に実行されるサブルーチンのフローチャートであり、図７は、液晶ディスプレイ１６の画面１６ａ及び外部の画像表示装置２の画面２ａを示す説明図である。ユーザによりマスク領域設定ボタンＢ２がクリック操作されると、ＣＰＵ１１は、図６に示すフローに従った処理を行う。なお、マスクすべき領域が画像表示装置２に表示されることがないよう、マスク領域設定ボタンＢ２は、画像表示装置２が画像ミュート状態のときにのみ有効となり、画像ミュート解除状態、即ち画像表示装置２に画像が表示されている状態では、領域の設定ができないようになっている。
【００４９】
図６に示すように、ステップＳ１１１では、ＣＰＵ１１は、ポインティングデバイスのドラッグ操作によって矩形の領域が設定されたか否かを判断する。そして、領域が設定された場合にはステップＳ１１２に移行し、領域が設定されていない場合には、ステップＳ１１１を繰り返す。
【００５０】
領域が設定されてステップＳ１１２に移行した場合には、ＣＰＵ１１は、設定された領域の位置及び大きさを表す領域情報とともに、マスクすべき領域の形状を表す形状情報、及びマスク色を表す色情報を含んだマスク情報をＲＡＭ１４に記憶する。なお、領域情報としては、例えば、液晶ディスプレイ１６の画面１６ａの左上の角を原点として、設定された領域の左上の角及び右下の角の座標等を用いることができる。また、後述するように、マスクすべき領域の形状やマスク色は、ユーザにより事前に指定可能になっており、ここでは、領域の形状として矩形が指定され、マスク色として黒が指定されているものとする。
【００５１】
続いて、ステップＳ１１３では、ＣＰＵ１１は、設定された領域、即ちＲＡＭ１４に記憶されているマスク情報に基づく領域（以降、「マスク領域Ｍ」という。）を液晶ディスプレイ１６の画面１６ａ上で強調表示させるべく、ビデオコントローラ１５に画像情報の加工（強調表示処理）を行わせ、加工後の画像情報を液晶ディスプレイ１６に出力させる。この結果、液晶ディスプレイ１６の画面１６ａ上には、設定されたマスク領域Ｍが強調されて表示される（図７参照）。なお、マスク領域Ｍを強調するためには、例えば、マスク領域Ｍを線で囲んだり、マスク領域Ｍ内の配色を変更したりする加工を施せばよい。
【００５２】
上記の処理の後、ＣＰＵ１１は、メインルーチンに復帰して、ステップＳ１０３以降を実行する。その後、ユーザは、ツールバーＷ１に備わる表示ボタンＢ１をクリック操作することにより、液晶ディスプレイ１６に表示されている画像Ｗ２を、マスク領域Ｍがマスクされた状態で画像表示装置２に表示させることができる。
【００５３】
図８は、ツールバーＷ１に備わる表示ボタンＢ１がクリック操作された場合に実行されるサブルーチンのフローチャートであり、図９（ａ）、（ｂ）は、液晶ディスプレイ１６の画面１６ａ及び外部の画像表示装置２の画面２ａを示す説明図である。ユーザにより表示ボタンＢ１がクリック操作されると、ＣＰＵ１１は、図８に示すフローに従った処理を行う。
【００５４】
図８に示すように、ステップＳ１２１では、ＣＰＵ１１は、外部の画像表示装置２が画像ミュート状態にあるか否かを判断する。そして、画像ミュート状態である場合にはステップＳ１２２に移行し、画像ミュート状態でない場合にはステップＳ１２６に移行する。
【００５５】
画像ミュート状態で表示ボタンＢ１がクリック操作されてステップＳ１２２に移行した場合には、ＣＰＵ１１は、ＲＡＭ１４上にマスク情報が記憶されているか否かを判断する。そして、マスク情報が記憶されている場合にはステップＳ１２３に移行し、マスク情報が記憶されていない場合にはステップＳ１２５に移行する。
【００５６】
ＲＡＭ１４上にマスク情報が記憶されていてステップＳ１２３に移行した場合には、ＣＰＵ１１は、ＲＡＭ１４からマスク情報を読み出す。そして、ステップＳ１２４では、ＣＰＵ１１は、読み出したマスク情報（領域情報、形状情報、色情報）に基づいてビデオコントローラ１５に指示をして、外部の画像表示装置２の画面２ａ上でマスク領域Ｍ内の内容を非表示にするためのマスク処理を施させる。ビデオコントローラ１５は、この指示を受けると、ＶＲＡＭ５０の第１の画像領域５１に描画すべき画像、即ち液晶ディスプレイ１６に出力すべき画像情報に対して、領域情報に基づく領域内に形状情報に基づく形状のマスク領域Ｍを設定するとともにこのマスク領域Ｍ内を色情報に基づく色で塗り潰す処理を施し、処理後の画像を第２の画像領域５２上に描画する。一方、第１の画像領域５１上には、マスク処理を施す前の画像を継続して描画する。この結果、画像表示装置２の画像ミュート状態は解除され、画像表示装置２には、液晶ディスプレイ１６と同一の画像Ｗ２が、マスク領域Ｍがマスクされた状態で表示される（図９（ａ）参照）。その後、ＣＰＵ１１は、メインルーチンに復帰して、ステップＳ１０３以降を実行する。
【００５７】
一方、ステップＳ１２２においてＲＡＭ１４上にマスク情報が記憶されておらずステップＳ１２５に移行した場合、例えば、ユーザがマスク領域Ｍを設定せずに表示ボタンＢ１をクリック操作した場合には、ＣＰＵ１１は、ビデオコントローラ１５に指示をして、ＶＲＡＭ５０の第１の画像領域５１に描画すべき画像を、第１の画像領域５１及び第２の画像領域５２の双方に描画させる。この結果、外部の画像表示装置２の画像ミュート状態は解除され、液晶ディスプレイ１６及び画像表示装置２の双方に同一の画像Ｗ２が表示される（図９（ｂ）参照）。その後、ＣＰＵ１１は、メインルーチンに復帰して、ステップＳ１０３以降を実行する。
【００５８】
また、ステップＳ１２１において画像表示装置２が画像ミュート状態でなくステップＳ１２６に移行した場合、即ち画像ミュート解除状態で表示ボタンＢ１がクリック操作された場合には、ＣＰＵ１１は、ビデオコントローラ１５に指示をして、ＶＲＡＭ５０上の第２の画像領域５２に黒色の無地画像を描画させ、外部の画像表示装置２を画像ミュート状態に移行させる。その後、ＣＰＵ１１は、メインルーチンに復帰して、ステップＳ１０３以降を実行する。
【００５９】
ツールバーＷ１の表示ボタンＢ１がクリック操作されると、ＣＰＵ１１は上記のように動作するため、画像表示装置２は、表示ボタンＢ１がクリック操作される度に画像ミュート解除状態と画像ミュート状態とを交互に繰り返すことになる。そして、画像ミュート解除状態に切り替わる際に、ＲＡＭ１４上にマスク情報が記憶されている場合には、画像表示装置２は、マスク情報に基づく領域（マスク領域Ｍ）をマスクした状態で画像を表示する。
【００６０】
なお、マスク領域Ｍは１画面に１つに限られず、マスク領域設定ボタンＢ２によるマスク領域Ｍの設定を複数回行うことにより、１画面内に複数のマスク領域Ｍを設定することも可能である（図１０参照）。この場合、ＲＡＭ１４上には複数のマスク情報が記憶され、画像ミュート解除状態では、これら複数のマスク情報に基づいてマスク処理がなされる。
【００６１】
また、ユーザは、ツールバーＷ１に備わるマスク解除ボタンＢ３をクリック操作することによって、既存のマスク領域Ｍのマスクを解除することが可能になっており、マスク領域Ｍが複数存在する場合には、その中から所望のマスク領域Ｍを指定して、そのマスク領域Ｍのマスクを解除することができる。
【００６２】
図１１は、ツールバーＷ１に備わるマスク解除ボタンＢ３がクリック操作された場合に実行されるサブルーチンのフローチャートである。ユーザによりマスク解除ボタンＢ３がクリック操作されると、ＣＰＵ１１は、図１１に示すフローに従った処理を行う。
【００６３】
図１１に示すように、ステップＳ１３１では、ＣＰＵ１１は、ポインティングデバイスによるクリック操作によって、液晶ディスプレイ１６の画面１６ａ上に存在するマスク領域Ｍが指定されたか否か、即ち既存のマスク領域ＭにポインタＰを合わせた状態でクリック操作がなされたか否かを判断する。そして、クリック操作によってマスク領域Ｍが指定された場合には、ステップＳ１３２に移行し、指定されていない場合には、ステップＳ１３１を繰り返す。
【００６４】
既存のマスク領域Ｍが指定されてステップＳ１３２に移行した場合には、ＣＰＵ１１は、指定されたマスク領域Ｍのマスク情報をＲＡＭ１４から消去する。
【００６５】
そして、ステップＳ１３３では、ＣＰＵ１１は、液晶ディスプレイ１６上でこのマスク領域Ｍに施されていた強調表示処理をビデオコントローラ１５に解除させる。具体的には、ステップＳ１３２でＲＡＭ１４からマスク情報を消去することによってＲＡＭ１４上にマスク情報が１つも存在しなくなった場合には、ＣＰＵ１１は、液晶ディスプレイ１６上での強調表示をすべて解除させる。一方、ステップＳ１３２でＲＡＭ１４からマスク情報を消去した後も他のマスク情報がＲＡＭ１４上に存在している場合には、存在するマスク情報に基づく領域についてのみ改めて強調表示させる。これにより、指定されたマスク領域Ｍの強調表示が解除される。
【００６６】
続くステップＳ１３４では、ＣＰＵ１１は、外部の画像表示装置２上でこのマスク領域Ｍに施されていたマスクをビデオコントローラ１５に解除させる。具体的には、ステップＳ１３２でＲＡＭ１４からマスク情報を消去することによってＲＡＭ１４上にマスク情報が１つも存在しなくなった場合には、ＣＰＵ１１は、画像表示装置２上でのマスクをすべて解除させる。一方、ステップＳ１３２でＲＡＭ１４からマスク情報を消去した後も他のマスク情報がＲＡＭ１４上に存在している場合には、存在するマスク情報に基づく領域についてのみ改めてマスク処理を行わせる。これにより、指定されたマスク領域Ｍのマスクが解除される。
【００６７】
この結果、画像表示装置２の画面２ａ上のマスクが解除された領域には、液晶ディスプレイ１６に表示される内容と同一の内容が表示される。例えば、図９（ａ）に示すように、画面１６ａ，２ａ内に１つのマスク領域Ｍが存在する場合において、マスク解除ボタンＢ３がクリック操作された後にこのマスク領域Ｍが指定されると、液晶ディスプレイ１６と画像表示装置２の双方には、強調表示処理やマスク処理が施されていない同一の画像Ｗ２が表示される（図９（ｂ）参照）。その後、ＣＰＵ１１は、メインルーチンに復帰して、ステップＳ１０３以降を実行する。
【００６８】
また、フローチャートの図示は省略するが、ユーザは、ツールバーＷ１に備わるマスク形状指定ボタンＢ４をクリック操作することにより、マスク領域Ｍの形状を矩形以外の他の形状に変更することも可能になっている。マスク形状指定ボタンＢ４がクリック操作されると、ＣＰＵ１１は、ビデオコントローラ１５に指示をして、複数の形状（例えば、円形、長円形、角部が円弧状の矩形等）の中から１つを選択可能なリスト（図示せず）を液晶ディスプレイ１６に表示させる。ユーザがリストの中から所望の形状をクリック操作によって選択すると、ＣＰＵ１１は、これ以降、新たなマスク領域Ｍが設定される際には、選択された形状に対応する形状情報をマスク情報に付加する。そして、ビデオコントローラ１５は、この形状情報に基づく形状のマスク領域Ｍに対してマスク処理を施す（図１２参照）。なお、マスク領域Ｍの形状として矩形が選択された場合には、マスク領域Ｍは、ドラッグ操作によって設定された矩形の領域と同一となる。一方、矩形以外の形状が選択された場合には、マスク領域Ｍは、ドラッグ操作によって設定された矩形の領域に内接するように定められる。
【００６９】
さらに、ユーザは、ツールバーＷ１に備わるマスク色指定ボタンＢ５をクリック操作することにより、マスク色を黒以外の他の色に変更することも可能になっている。マスク色指定ボタンＢ５がクリック操作されると、ＣＰＵ１１は、ビデオコントローラ１５に指示をして、複数の色の中から１つを選択可能なリスト（図示せず）を液晶ディスプレイ１６に表示させる。ユーザがリストの中から所望の色をクリック操作によって選択すると、ＣＰＵ１１は、これ以降、新たにマスク領域Ｍが設定される際には、選択された色に対応する色情報をマスク情報に付加する。そして、ビデオコントローラ１５は、この色情報に基づく色でマスク領域Ｍを塗り潰す。ここで、マスク色を画像Ｗ２の背景色と同一色に指定すると、画像表示装置２の画面を見る聴衆に対してマスク領域Ｍの存在を意識させずに済むようになる（図１３参照）。
【００７０】
以上説明したように、本実施形態のコンピュータ１によれば、以下の効果を得ることができる。
【００７１】
（１）本実施形態のコンピュータ１によれば、外部の画像表示装置２に表示される画像についてのみマスク処理を施すため、画像表示装置２でマスクされているマスク領域Ｍ内の内容を液晶ディスプレイ１６によって参照することが可能となる。
【００７２】
（２）本実施形態のコンピュータ１によれば、マスク領域Ｍを設定する機能がコンピュータ１に備わっており、液晶ディスプレイ１６にのみ画像を表示させた状態でマスク領域Ｍを設定することができるため、画像表示装置２を見ている聴衆にマスクすべき領域（隠したい内容）を見られてしまう事態を抑制すること可能となる。
【００７３】
（３）本実施形態のコンピュータ１によれば、表示ボタンＢ１をクリック操作することによって画像表示装置２を画像ミュート状態にすることができるため、マスク領域Ｍを設定するための操作、及び画像表示装置２を画像ミュート状態にするための操作をコンピュータ１（ポインティングデバイス）のみで行うことが可能となり、操作が容易になる。つまり、コンピュータ１でマスク領域Ｍを設定する前に、マスクすべき領域が画像表示装置２の画面２ａに表示されてしまうことを防ぐための操作（例えば、電源をオフにする操作や、画面２ａを非表示するための操作等）を画像表示装置２に対して行う必要がなくなる。
【００７４】
（４）本実施形態のコンピュータ１によれば、画像表示装置２が画像ミュート状態の場合にのみマスク領域Ｍが設定可能になるため、画像表示装置２を見ている聴衆にマスクすべき領域を見られてしまう事態をさらに抑制することができる。
【００７５】
（５）本実施形態のコンピュータ１によれば、使い慣れたポインティングデバイスによってマスク領域Ｍを設定することができるため、画像表示装置２でマスク領域Ｍを設定する構成に比べて容易に領域設定を行うことが可能となる。
【００７６】
（６）本実施形態のコンピュータ１によれば、マスク形状指定ボタンＢ４をクリック操作することによってマスクすべき領域の形状を指定できるため、画像内におけるマスクの対象（マスクすべき文字や図形等）のレイアウトに応じたマスクが可能となる。このため、例えば、文字や図形が密に配置されている画像であっても、不要な部位までマスクしてしまうことを抑制することが可能となる。
【００７７】
（７）本実施形態のコンピュータ１によれば、マスク色指定ボタンＢ５をクリック操作することによってマスク色を指定できるため、画像の配色（背景色等）に応じたマスクが可能となる。このため、例えば、マスク色を画像の背景色に一致させれば、マスクした状態か否かをユーザに意識させずに済む。
【００７８】
（８）本実施形態のコンピュータ１によれば、マスク領域Ｍを液晶ディスプレイ１６の画面１６ａ上で強調表示させるようにしているため、ユーザは、液晶ディスプレイ１６の画面１６ａを見るだけで、マスク領域Ｍを容易に認識することが可能となる。
【００７９】
（９）本実施形態のコンピュータ１によれば、画像の中の所望の領域を、画像を表示する際にマスクすることができるため、マスクを施したファイル等を事前に準備しておく必要がない。また、修正ができないファイル（読み取り専用のファイル）であっても、所望の位置をマスクして表示することが容易になる。
【００８０】
なお、本実施形態では、液晶ディスプレイ１６が第１の画像表示装置に相当し、外部の画像表示装置２が第２の画像表示装置に相当する。また、液晶ディスプレイ１６及び画像表示装置２に画像情報を出力するビデオコントローラ１５及び画像出力端子１５ａが画像情報出力部に相当する。また、ツールバーＷ１のマスク領域設定ボタンＢ２がクリック操作されて、図６に示すフローを実行する際のＣＰＵ１１、ビデオコントローラ１５、液晶ディスプレイ１６、及びポインティングデバイス（タッチパッド２１及びマウス３０）が領域設定部に相当する。また、ステップＳ１２４（図８参照）を実行してマスク処理を行う際のＣＰＵ１１及びビデオコントローラ１５がマスク処理部に相当する。また、ステップＳ１０１（図３参照）及びステップＳ１２６（図８参照）を実行して画像表示装置２を画像ミュート状態に移行させる際のＣＰＵ１１及びビデオコントローラ１５が表示停止部に相当する。また、マスク形状指定ボタンＢ４がクリック操作された際のＣＰＵ１１及びビデオコントローラ１５がマスク形状指定部に相当し、マスク色指定ボタンＢ５がクリック操作された際のＣＰＵ１１及びビデオコントローラ１５がマスク色指定部に相当する。
【００８１】
また、コンピュータ１のソフトウェア構成は、上記に限定されない。例えば、マスクユーティリティＭＵが有するマスク機能を、プレゼンテーションソフトウェアやワードプロセッサ等のアプリケーションプログラムに包含させるようにすることも可能である。
【００８２】
（第２実施形態）
以下、第２実施形態のコンピュータについて説明する。
図１４は、本実施形態のコンピュータを示す斜視図であり、図１５は、本実施形態のコンピュータの回路構成を示すブロック図である。
図１４に示すように、本実施形態のコンピュータ１は、外部の画像表示装置２との間で映像ケーブル３による接続がなされておらず、無線通信によって画像情報を供給するようになっている。
【００８３】
また、図１５に示すように、本実施形態のコンピュータ１のサウスブリッジ１３には、外部の装置との間で無線ＬＡＮ（Local Area Network）によるネットワーク通信を行うための無線ＬＡＮデバイス２２が接続されており、コンピュータ１は、同じく無線ＬＡＮによるネットワーク通信が可能な画像表示装置２に対して、無線ＬＡＮによって画像情報を供給（送信）する。また、ハードディスクドライブ１７には、画像表示装置２と無線ＬＡＮ接続を行って画像情報の供給を行うためのアプリケーションプログラム（無線ＬＡＮ接続ツールＣＴ）が記憶されている。上記以外の回路構成については、前記第１実施形態と共通である。
【００８４】
ＯＳが起動した状態のコンピュータ１に対して、ユーザが無線ＬＡＮ接続ツールＣＴの起動を指示すると、ＣＰＵ１１は、ハードディスクドライブ１７に記憶されている無線ＬＡＮ接続ツールＣＴをＲＡＭ１４に読み出して、このプログラムに従って動作する。
【００８５】
図１６〜図２０は、無線ＬＡＮ接続ツールＣＴに基づく動作を説明するための説明図であり、このうち、図１６〜図１８は、液晶ディスプレイ１６に表示される各種画像を示す図、図１９（ａ）、（ｂ）及び図２０（ａ）、（ｂ）は、液晶ディスプレイ１６の画面１６ａ及び外部の画像表示装置２の画面２ａを示す図である。
無線ＬＡＮ接続ツールＣＴが起動すると、ＣＰＵ１１は、液晶ディスプレイ１６の画面１６ａ上にモード選択ウィンドウＷ３（図１６参照）を表示させて無線ＬＡＮのアクセスモードをユーザに選択させる。
【００８６】
図１６に示すように、モード選択ウィンドウＷ３では、アクセスポイントを介して複数の画像表示装置２と接続が可能な「インフラストラクチャモード」と、アクセスポイントを介さずに１対１で通信を行う「アドホックモード」とが選択可能になっており、ユーザは、モード選択ウィンドウＷ３に備わるラジオボタンＲＢをクリック操作することによっていずれか１つのアクセスモードを選択することができる。
【００８７】
ユーザによりアクセスモードが選択され、モード選択ウィンドウＷ３に備わるＯＫボタンＢ７がクリック操作されると、ＣＰＵ１１は、無線ＬＡＮデバイス２２によりブロードキャストを行って、無線ＬＡＮ接続が可能な画像表示装置２を検索する。その後、ＣＰＵ１１は、この検索結果を含んだ接続ウィンドウＷ４（図１７参照）を液晶ディスプレイ１６の画面１６ａ上に表示させる。
【００８８】
図１７に示すように、接続ウィンドウＷ４には、検索された画像表示装置２のリストＤＬが表示されており、このリストＤＬには、各画像表示装置２のステータス、装置名、ＩＰアドレスが含まれている。またリストＤＬには、検索された画像表示装置２毎にチェックボックスＣＢが付されており、ユーザは、このチェックボックスＣＢをクリック操作することによって接続対象とすべき画像表示装置２を指定することができる。なお、アクセスモードにアドホックモードが選択されている場合には、ユーザは、１台の画像表示装置２のみを指定可能であり、アクセスモードにインフラストラクチャモードが選択されている場合には、ユーザは、複数台の画像表示装置２を指定することができる。接続ウィンドウＷ４に右下には、接続ボタンＢ８が備えられており、ユーザは、接続すべき画像表示装置２を指定した後で接続ボタンＢ８をクリック操作することにより、指定した画像表示装置２との無線ＬＡＮ接続を行うことができる。
【００８９】
ユーザにより接続ボタンＢ８がクリック操作されると、ＣＰＵ１１は、指定された画像表示装置２との無線ＬＡＮ接続を実行する。具体的には、ＣＰＵ１１は、指定された画像表示装置２に対して、無線ＬＡＮデバイス２２から接続要求コマンドを送信する。画像表示装置２がこの接続要求コマンドに応答して、接続を許可する接続応答コマンドをコンピュータ１に送信し、コンピュータ１の無線ＬＡＮデバイス２２がこれを受信すると、コンピュータ１と画像表示装置２との無線ＬＡＮ接続が確立する。
【００９０】
無線ＬＡＮ接続が確立すると、ＣＰＵ１１は、ビデオコントローラ１５に指示をして、液晶ディスプレイ１６の画面１６ａ上から接続ウィンドウＷ４を消去させるとともに、液晶ディスプレイ１６の画面１６ａ上にツールバーＷ５（図１８、図１９（ａ）参照）を表示させる。
【００９１】
図１８に示すように、液晶ディスプレイ１６に表示されるツールバーＷ５は、タイトル「無線ＬＡＮ接続ツール」が表記されたタイトルバーＴ２を有し、その下には複数のボタンが配列されている。ツールバーＷ５が備えるボタンには、無線ＬＡＮ接続を切断するための切断ボタンＢ１０、及び無線ＬＡＮに関わる設定を行うための設定ボタンＢ１１に加えて、前記第１実施形態のツールバーＷ１と同様の５つのボタン、即ち表示ボタンＢ１、マスク領域設定ボタンＢ２、マスク解除ボタンＢ３、マスク形状指定ボタンＢ４、マスク色指定ボタンＢ５がある。
【００９２】
液晶ディスプレイ１６の画面１６ａ上にツールバーＷ５を表示させた後、ＣＰＵ１１は、画像表示装置２に対して、無線ＬＡＮによる画像情報の供給を開始する。これ以降、ＣＰＵ１１は、ビデオコントローラ１５が液晶ディスプレイ１６に表示させる画像を順次キャプチャし、この画像を画像情報として無線ＬＡＮデバイス２２から画像表示装置２に送信する。この結果、図１９（ａ）に示すように、画像表示装置２は、コンピュータ１から送信される画像情報に応じた画像の表示を開始し、その画面２ａには、液晶ディスプレイ１６の画面１６ａに表示される画像と略同一の画像が表示される。ただし、無線ＬＡＮ接続ツールＣＴは、ツールバーＷ５を含まない画像をキャプチャするようになっており、画像表示装置２の画面２ａには、ツールバーＷ５は表示されない。
【００９３】
この状態で、ユーザは、所望のアプリケーションプログラムを起動させてファイルを開く操作等を行うことにより、液晶ディスプレイ１６の画面１６ａ上に所望の画像を表示させることができる。そして、ツールバーＷ５に備わるボタンをクリック操作することによって、前記第１実施形態と同様、画像表示装置２に表示される画像の一部をマスクしたり、マスクを解除したりするための処理等（図６、図８、図１１参照）をＣＰＵ１１に行わせることができる。
【００９４】
また、前記第１実施形態と同様、マスク領域Ｍを設定する際にマスクすべき領域が画像表示装置２に表示されることがないよう、マスク領域設定ボタンＢ２は、画像表示装置２が画像ミュート状態のときにのみ有効となり、画像ミュート解除状態、即ち画像表示装置２に画像が表示されている状態では、領域の設定ができないようになっている。ただし、本実施形態では、無線ＬＡＮ接続が確立すると、画像ミュート解除状態、即ち液晶ディスプレイ１６の画面１６ａに表示されている画像が画像表示装置２の画面２ａにも表示される状態になるため、マスク領域Ｍを設定する際には、事前に表示ボタンＢ１をクリック操作して、画像表示装置２を事前に画像ミュート状態に移行させておく必要がある（図１９（ｂ）参照）。本実施形態では、画像ミュート解除状態で表示ボタンＢ１がクリック操作されると、ＣＰＵ１１は、キャプチャした画像の代わりに、黒色の無地画像を表す画像情報を無線ＬＡＮデバイス２２から送信することによって、画像表示装置２を画像ミュート状態に移行させる。
【００９５】
そして、図２０（ａ）に示すように、画像表示装置２が画像ミュート状態に移行した後、ユーザが液晶ディスプレイ１６に所望の画像Ｗ２を表示させ、さらに、マスク領域設定ボタンＢ２のクリック操作、及びその後のドラッグ操作によってマスク領域Ｍを設定すると、ＣＰＵ１１は、前記第１実施形態と同様、液晶ディスプレイ１６の画面１６ａ上でマスク領域Ｍを強調表示させるとともに、マスク情報をＲＡＭ１４に記憶する。その後、画像ミュート状態を解除すべく表示ボタンＢ１がクリック操作されると、ＣＰＵ１１は、ＲＡＭ１４に記憶されているマスク情報に基づいて、キャプチャした画像にマスク処理を施す。本実施形態では、ＣＰＵ１１がＲＡＭ１４をワークエリアとしてマスク領域Ｍを塗り潰す処理を行うようになっており、処理後の画像情報は無線ＬＡＮデバイス２２から画像表示装置２に送信される。この結果、図２０（ｂ）に示すように、画像表示装置２の画面２ａには、液晶ディスプレイ１６と同一の画像Ｗ２が、マスク領域Ｍがマスクされた状態で表示される。
【００９６】
なお、前記第１実施形態と同様、画像Ｗ２を表示させるための操作は、無線ＬＡＮ接続ツールＣＴを起動する前に行うようにしてもよい。また、ツールバーＷ５は、常に最前面に表示される設定がなされており、ツールバーＷ５を表示させた後に画像Ｗ２を全画面で表示させた場合でも、ツールバーＷ５が画像Ｗ２に隠れることはない。
【００９７】
以上説明したように、本実施形態のコンピュータ１によれば、前記第１実施形態の効果に加えて以下の効果を得ることができる。
【００９８】
（１）本実施形態のコンピュータ１によれば、外部の画像表示装置２に対して無線ネットワーク（無線ＬＡＮ）を介して画像情報を出力する構成であるため、コンピュータ１と画像表示装置２とのケーブル接続が不要となり、レイアウトの自由度が高まる。
【００９９】
なお、本実施形態では、液晶ディスプレイ１６及び画像表示装置２にそれぞれ画像情報を出力するビデオコントローラ１５及び無線ＬＡＮデバイス２２が画像情報出力部に相当する。また、マスク処理を行う際のＣＰＵ１１がマスク処理部に相当し、画像表示装置２を画像ミュート状態に移行させる際のＣＰＵ１１及び無線ＬＡＮデバイス２２が表示停止部に相当する。
【０１００】
また、本実施形態では、無線ネットワークを介して画像情報を出力する構成を示しているが、有線ネットワークを介して出力する構成にすることも可能である。この場合でも、映像ケーブル３を介して画像情報を出力する構成に比べれば、コンピュータ１及び画像表示装置２の配置が映像ケーブル３の長さによって制限されることがなくなり、レイアウトの自由度が高まる。
【０１０１】
また、コンピュータ１のソフトウェア構成は、上記に限定されない。例えば、本実施形態では、画像表示装置２と無線ＬＡＮ接続を行って画像情報の供給を行うためのアプリケーションプログラム（無線ＬＡＮ接続ツールＣＴ）にマスク機能が包含された構成を示しているが、それぞれを別個のアプリケーションプログラムとすることも可能である。
【０１０２】
（変形例）
なお、前記実施形態は、以下のように変更してもよい。
【０１０３】
前記実施形態では、外部の画像表示装置２が画像ミュート状態のときにのみマスク領域Ｍの設定が可能となる構成を示しているが、この態様に限定されず、画像ミュート状態か画像ミュート解除状態かに拘わらずマスク領域Ｍを設定できるようにしてもよい。
【０１０４】
前記実施形態では、コンピュータ１が、画像表示装置２を画像ミュート状態に移行させるための機能を有した構成になっているが、必ずしもコンピュータ１にこの機能を備える必要はない。ただし、この場合には、コンピュータ１でマスク領域Ｍを設定する前に、マスクすべき領域が画像表示装置２の画面２ａに表示されてしまうことを防ぐための操作（例えば、電源をオフにする操作や、画面２ａを非表示するための操作等）を画像表示装置２に対して行う必要がある。
【０１０５】
前記実施形態では、情報処理装置の例として、画像表示装置（液晶ディスプレイ１６）、入力装置（キーボード２０）、ポインティングデバイス（タッチパッド２１）を一体的に備えたノート型のパーソナルコンピュータについて説明したが、情報処理装置は、ノート型のパーソナルコンピュータに限定されない。例えば、デスクトップ型のパーソナルコンピュータのように、画像表示装置、入力装置、ポインティングデバイスの全部又は一部を外付けで備える構成の情報処理装置（コンピュータ）であってもよい。
【０１０６】
前記実施形態では、外部の画像表示装置２としてプロジェクタを用いた例を示したが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等を用いることも可能である。
【０１０７】
前記実施形態では、ポインティングデバイスとしてタッチパッド２１及びマウス３０を用いた例を示したが、トラックボールやジョイスティック、ペンタブレット等、他のポインティングデバイスを用いることも可能である。
【図面の簡単な説明】
【０１０８】
【図１】第１実施形態のコンピュータを示す斜視図。
【図２】第１実施形態のコンピュータの回路構成を示すブロック図。
【図３】マスクユーティリティに基づくＣＰＵの動作を説明するためのフローチャート。
【図４】（ａ）、（ｂ）は、液晶ディスプレイ及び外部の画像表示装置の画面を示す説明図。
【図５】第１実施形態のツールバーの詳細を示す説明図。
【図６】マスク領域設定ボタンがクリック操作された場合に実行されるサブルーチンのフローチャート。
【図７】液晶ディスプレイ及び外部の画像表示装置の画面を示す説明図。
【図８】表示ボタンがクリック操作された場合に実行されるサブルーチンのフローチャート。
【図９】（ａ）、（ｂ）は、液晶ディスプレイ及び外部の画像表示装置の画面を示す説明図。
【図１０】液晶ディスプレイ及び外部の画像表示装置の画面を示す説明図。
【図１１】マスク解除ボタンがクリック操作された場合に実行されるサブルーチンのフローチャート。
【図１２】液晶ディスプレイ及び外部の画像表示装置の画面を示す説明図。
【図１３】液晶ディスプレイ及び外部の画像表示装置の画面を示す説明図。
【図１４】第２実施形態のコンピュータを示す斜視図。
【図１５】第２実施形態のコンピュータの回路構成を示すブロック図。
【図１６】第２実施形態において液晶ディスプレイに表示されるモード選択ウィンドウを示す説明図。
【図１７】第２実施形態において液晶ディスプレイに表示される接続ウィンドウを示す説明図。
【図１８】第２実施形態において液晶ディスプレイに表示されるツールバーを示す説明図。
【図１９】（ａ）、（ｂ）は、液晶ディスプレイ及び外部の画像表示装置の画面を示す説明図。
【図２０】（ａ）、（ｂ）は、液晶ディスプレイ及び外部の画像表示装置の画面を示す説明図。
【符号の説明】
【０１０９】
１…コンピュータ、２…画像表示装置、１１…ＣＰＵ、１２…ノースブリッジ、１３…サウスブリッジ、１３ａ…ＵＳＢ端子、１４…ＲＡＭ、１５…ビデオコントローラ、１５ａ…画像出力端子、１６…液晶ディスプレイ、１７…ハードディスクドライブ、１８…光ディスクドライブ、１９…ＢＩＯＳ−ＲＯＭ、２０…キーボード、２１…タッチパッド、３０…マウス、５０…ＶＲＡＭ、５１…第１の画像領域、５２…第２の画像領域、ＭＵ…マスクユーティリティ、Ｍ…マスク領域、Ｗ１…ツールバー、Ｂ１…表示ボタン、Ｂ２…マスク領域設定ボタン、Ｂ３…マスク解除ボタン、Ｂ４…マスク形状指定ボタン、Ｂ５…マスク色指定ボタン。
【図１】
2009175396.tif 000003
【図２】
2009175396.tif 000004
【図３】
2009175396.tif 000005
【図４】
2009175396.tif 000006
【図５】
2009175396.tif 000007
【図６】
2009175396.tif 000008
【図７】
2009175396.tif 000009
【図８】
2009175396.tif 000010
【図９】
2009175396.tif 000011
【図１０】
2009175396.tif 000012
【図１１】
2009175396.tif 000013
【図１２】
2009175396.tif 000014
【図１３】
2009175396.tif 000015
【図１４】
2009175396.tif 000016
【図１５】
2009175396.tif 000017
【図１６】
2009175396.tif 000018
【図１７】
2009175396.tif 000019
【図１８】
2009175396.tif 000020
【図１９】
2009175396.tif 000021
【図２０】
2009175396.tif 000022